(57)【要約】【課題】より効率良く電力を使用する。【解決手段】供給予測部は、太陽光を受光して電力を発電する太陽光パネルから供給されることが予測される供給電力を、翌日の一日に亘って求め、需要予測部は、電力を消費する負荷による需要があることが予測される需要電力を、翌日の一日に亘って求める。また、余剰電力算出部は、供給電力から需要電力を減算した余剰電力を、翌日の一日に亘って算出し、蓄電残量取得部は、電力を蓄積する蓄電池に残されている電力である蓄電残量を取得する。そして、通知部は、蓄電残量および余剰電力から求められる蓄電電力量の計算上の最大値が、蓄電池の定格容量を超過する場合、蓄電池に蓄積されている電力の消費を促す通知を行う。本技術は、例えば、太陽光発電パネルおよび蓄電池を備えた電力システムに適用できる。【選択図】図５
2013192351.tif 000002
【特許請求の範囲】
【請求項１】
自然エネルギーを利用して電力を発電する発電部から供給されることが予測される供給電力を、所定の予測期間に亘って求める供給予測部と、
前記電力を消費する負荷による需要があることが予測される需要電力を、前記予測期間に亘って求める需要予測部と、
前記供給電力から前記需要電力を減算した余剰電力を、前記予測期間に亘って算出する余剰電力算出部と、
前記電力を蓄積する蓄積部に残されている電力である蓄電残量を取得する蓄電残量取得部と、
前記蓄電残量および前記余剰電力から求められる蓄電電力量の計算上の最大値が、前記蓄積部を使用する際に定められた所定の設定容量を超過する場合、前記蓄積部に蓄積されている電力の消費を促す通知を行う通知部と
を備える電力調整装置。
【請求項２】
前記蓄電電力量の計算上の最大値から、前記蓄積部の設定容量を減算したギャップ量を算出するギャップ算出部
をさらに備え、
前記通知部は、前記ギャップ算出部により算出されたギャップ量のピーク値に対応する電力を消費するように通知する
請求項１に記載の電力調整装置。
【請求項３】
前記通知部は、前記蓄積部の蓄電残量が所定の閾値以下である場合には、前記電力の消費を促す通知を中止する
請求項１または２に記載の電力調整装置。
【請求項４】
前記通知手段は、前記負荷となる機器および前記機器を使用する条件と、前記条件で前記機器を使用したときの消費電力とが対応付けられて前記機器ごとに登録された設定テーブルを参照し、前記ギャップ量のピーク値に対応する電力を消費するのに適した前記機器および前記条件の組み合わせを通知する
請求項２または３に記載の電力調整装置。
【請求項５】
前記設定テーブルには、所定の時間帯ごとに、優先的に用いられる前記機器の優先度が設定される
請求項４に記載の電力調整装置。
【請求項６】
自然エネルギーを利用して電力を発電する発電部から供給されることが予測される供給電力を、所定の予測期間に亘って求め、
前記電力を消費する負荷による需要があることが予測される需要電力を、前記予測期間に亘って求め、
前記供給電力から前記需要電力を減算した余剰電力を、前記予測期間に亘って算出し、
前記電力を蓄積する蓄積部に残されている電力である蓄電残量を取得し、
前記蓄電残量および前記余剰電力から求められる蓄電電力量の計算上の最大値が、前記蓄積部を使用する際に定められた所定の設定容量を超過する場合、前記蓄積部に蓄積されている電力の消費を促す通知を行う
ステップを含む電力調整方法。
【請求項７】
自然エネルギーを利用して電力を発電する発電部から供給されることが予測される供給電力を、所定の予測期間に亘って求め、
前記電力を消費する負荷による需要があることが予測される需要電力を、前記予測期間に亘って求め、
前記供給電力から前記需要電力を減算した余剰電力を、前記予測期間に亘って算出し、
前記電力を蓄積する蓄積部に残されている電力である蓄電残量を取得し、
前記蓄電残量および前記余剰電力から求められる蓄電電力量の計算上の最大値が、前記蓄積部を使用する際に定められた所定の設定容量を超過する場合、前記蓄積部に蓄積されている電力の消費を促す通知を行う
ステップを含む処理をコンピュータに実行させるプログラム。
【請求項８】
自然エネルギーを利用して電力を発電する発電部と、
前記電力を蓄積する蓄積部と、
前記発電部から供給されることが予測される供給電力を、所定の予測期間に亘って求める供給予測部と、
前記電力を消費する負荷による需要があることが予測される需要電力を、前記予測期間に亘って求める需要予測部と、
前記供給電力から前記需要電力を減算した余剰電力を、前記予測期間に亘って算出する余剰電力算出部と、
前記電力を蓄積する蓄積部に残されている電力である蓄電残量を取得する蓄電残量取得部と、
前記蓄電残量および前記余剰電力から求められる蓄電電力量の計算上の最大値が、前記蓄積部を使用する際に定められた所定の設定容量を超過する場合、前記蓄積部に蓄積されている電力の消費を促す通知を行う通知部と
を備える電力システム。
【発明の詳細な説明】
【技術分野】
【０００１】
本開示は、電力調整装置、電力調整方法、プログラム、および電力システムに関し、特に、より効率良く電力を使用することができるようにした電力調整装置、電力調整方法、プログラム、および電力システムに関する。
【背景技術】
【０００２】
従来、太陽光発電パネルにより発電された電力を、蓄電池に蓄積して利用する電力システムが開発されている。
【０００３】
電力システムには、電力系統および負荷が接続され、太陽光発電パネル、蓄電池、電力系統、および負荷の間において適切に電力の供給が行われるように調整が行われる。例えば、電力システムでは、太陽光発電パネルにより発電された電力、および、蓄電池に蓄積されている電力を優先的に負荷で消費させ、電力系統から供給される電力の消費を抑制するように、電力の供給が調整される。
【０００４】
これにより、電力システムを導入したユーザが電力を購入するコストを削減することができるだけでなく、電力系統を介して電力を伝送する際に発生する電力損失を抑制することができる。
【０００５】
例えば、特許文献１には、発電システムおよび電力貯蔵システムを使用したエネルギーマネジメントシステムにおいて、負荷に電力を供給する順番を、太陽電池で発電された電力、蓄電池に充電されている電力、および系統電力の順で優先的に選択する制御方法が開示されている。
【０００６】
ところで、蓄電池に十分に電力が蓄積されているときに、蓄電池の電力が当日中に使用されず、翌日、太陽光発電パネルによる発電が行われた場合、蓄電池の容量以上に発電された電力は、電力系統に逆潮流させたり捨てられたりしてしまう。つまり、従来の電力システムでは、太陽光発電パネルにより発電された電力を、負荷により消費することができないことがあった。
【先行技術文献】
【特許文献】
【０００７】
【特許文献１】特開２０１２−００５１６８号公報
【発明の概要】
【発明が解決しようとする課題】
【０００８】
上述したように、蓄電池の蓄電残量や太陽光発電パネルの発電状況などによって、太陽光発電パネルで発電された電力を、電力システムに接続されている負荷で消費することができないことがある。このような場合には、例えば、電力を逆潮流させることによる電力損失が発生することになり、電力の使用効率が低下することがある。
【０００９】
本開示は、このような状況に鑑みてなされたものであり、より効率良く電力を使用することができるようにするものである。
【課題を解決するための手段】
【００１０】
本開示の一側面の電力調整装置は、自然エネルギーを利用して電力を発電する発電部から供給されることが予測される供給電力を、所定の予測期間に亘って求める供給予測部と、前記電力を消費する負荷による需要があることが予測される需要電力を、前記予測期間に亘って求める需要予測部と、前記供給電力から前記需要電力を減算した余剰電力を、前記予測期間に亘って算出する余剰電力算出部と、前記電力を蓄積する蓄積部に残されている電力である蓄電残量を取得する蓄電残量取得部と、前記蓄電残量および前記余剰電力から求められる蓄電電力量の計算上の最大値が、前記蓄積部を使用する際に定められた所定の設定容量を超過する場合、前記蓄積部に蓄積されている電力の消費を促す通知を行う通知部とを備える。
【００１１】
本開示の一側面の電力調整方法またはプログラムは、自然エネルギーを利用して電力を発電する発電部から供給されることが予測される供給電力を、所定の予測期間に亘って求め、前記電力を消費する負荷による需要があることが予測される需要電力を、前記予測期間に亘って求め、前記供給電力から前記需要電力を減算した余剰電力を、前記予測期間に亘って算出し、前記電力を蓄積する蓄積部に残されている電力である蓄電残量を取得し、前記蓄電残量および前記余剰電力から求められる蓄電電力量の計算上の最大値が、前記蓄積部を使用する際に定められた所定の設定容量を超過する場合、前記蓄積部に蓄積されている電力の消費を促す通知を行うステップを含む。
【００１２】
本開示の一側面の電力システムは、自然エネルギーを利用して電力を発電する発電部と、前記電力を蓄積する蓄積部と、前記発電部から供給されることが予測される供給電力を、所定の予測期間に亘って求める供給予測部と、前記電力を消費する負荷による需要があることが予測される需要電力を、前記予測期間に亘って求める需要予測部と、前記供給電力から前記需要電力を減算した余剰電力を、前記予測期間に亘って算出する余剰電力算出部と、前記電力を蓄積する蓄積部に残されている電力である蓄電残量を取得する蓄電残量取得部と、前記蓄電残量および前記余剰電力から求められる蓄電電力量の計算上の最大値が、前記蓄積部を使用する際に定められた所定の設定容量を超過する場合、前記蓄積部に蓄積されている電力の消費を促す通知を行う通知部とを備える。
【００１３】
本開示の一側面においては、自然エネルギーを利用して電力を発電する発電部から供給されることが予測される供給電力が予測期間に亘って求められ、電力を消費する負荷による需要があることが予測される需要電力が予測期間に亘って求められる。また、供給電力から需要電力を減算した余剰電力が予測期間に亘って算出され、電力を蓄積する蓄積部に残されている電力である蓄電残量が取得される。そして、蓄電残量および余剰電力から求められる蓄電電力量の計算上の最大値が、蓄積部を使用する際に定められた所定の設定容量を超過する場合、蓄積部に蓄積されている電力の消費を促す通知が行われる。
【発明の効果】
【００１４】
本開示の一側面によれば、より効率良く電力を使用することができる。
【図面の簡単な説明】
【００１５】
【図１】本技術を適用した蓄電システムの一実施の形態の構成例を示すブロック図である。
【図２】予測蓄電電力量、予測消費電力、予測発電電力、および予測売電電力の関係を説明する図である。
【図３】売電されることが予測される電力量を説明する図である。
【図４】予測蓄電電力量のオフセットを説明する図である。
【図５】電力調整装置の構成例を示すブロック図である。
【図６】電力調整処理を説明するフローチャートである。
【図７】売電可能性予測処理を説明するフローチャートである。
【図８】設定テーブルの一例を示す図である。
【図９】操作端末の表示部における表示例を示す図である。
【図１０】事前に電力を消費する機器および条件の変更を説明する図である。
【図１１】時間帯ごとに作成される設定テーブルの一例を示す図である。
【発明を実施するための形態】
【００１６】
以下、本技術を適用した具体的な実施の形態について、図面を参照しながら詳細に説明する。
【００１７】
図１は、本技術を適用した蓄電システムの一実施の形態の構成例を示すブロック図である。
【００１８】
図１において、蓄電システム１１は、太陽光パネル（ＰＶ：Photovoltaic）１２、ＰＶ用パワーコンディショナ１３、操作端末１４、および、蓄電装置１５を備えて構成されており、電力系統１６および負荷１７に接続されている。また、蓄電システム１１は、ネットワーク１８を介した通信を行うことができる。
【００１９】
太陽光パネル１２は、複数の太陽電池モジュールが接続されて構成されるパネルであり、太陽光を受光して発電を行う。
【００２０】
ＰＶ用パワーコンディショナ１３は、例えば、太陽光パネル１２から最大の電力を取得することができるように、太陽光パネル１２により発電される電力の電圧および電流を調整する。そして、ＰＶ用パワーコンディショナ１３は、太陽光パネル１２により発電された電力をDC/AC変換して、蓄電装置１５に供給する。また、ＰＶ用パワーコンディショナ１３および蓄電装置１５を接続する配線には、電力系統１６および負荷１７が接続されており、ＰＶ用パワーコンディショナ１３は、太陽光パネル１２により発電された電力を電力系統１６に逆潮流させて売電したり、負荷１７に供給して消費させたりする。
【００２１】
操作端末１４は、蓄電装置１５と通信を行い、蓄電装置１５から供給される情報を表示する表示部と、ユーザによる操作を入力するための入力部（例えば、タッチパネル）とを有する。そして、操作端末１４は、表示部に表示された内容に応じて入力されるユーザの操作を、蓄電装置１５に供給する。
【００２２】
蓄電装置１５は、蓄電池用双方向AC/DC変換器２１、蓄電池２２、バッテリマネジメントシステム（BMS：Battery Management System）２３、データ取得部２４、通信部２５、および制御ユニット２６を備えて構成される。また、蓄電装置１５では、蓄電池用双方向AC/DC変換器２１の交流側に接続される配線にリレー２７が配設され、蓄電池用双方向AC/DC変換器２１および蓄電池２２を接続する配線にリレー２８が配設されている。
【００２３】
蓄電池用双方向AC/DC変換器２１は、制御ユニット２６と通信を行い、蓄電池２２の充電状態に応じて蓄電池２２に入出力する電力を調整する。例えば、蓄電池用双方向AC/DC変換器２１は、ＰＶ用パワーコンディショナ１３からリレー２７を介して供給される電力を、蓄電池２２の蓄電容量に応じてAC/DC変換してリレー２８を介して蓄電池２２に供給する。また、蓄電池用双方向AC/DC変換器２１は、蓄電池２２に蓄積されている電力をDC/AC変換して負荷１７に供給する。
【００２４】
蓄電池２２は、蓄電池用双方向AC/DC変換器２１から供給される電力を蓄電し、蓄電池用双方向AC/DC変換器２１を介して電力を放電する。
【００２５】
バッテリマネジメントシステム２３は、制御ユニット２６と通信を行い、蓄電池２２を管理する。例えば、バッテリマネジメントシステム２３は、蓄電池２２に蓄積されている電力の電圧値や、蓄電池２２に入出力する電力の電流値、蓄電池２２の温度などを測定し、それらの測定値を制御ユニット２６に送信する。
【００２６】
データ取得部２４は、制御ユニット２６からの要求に応じて、各種のデータを供給する。例えば、データ取得部２４は、暦機能を備えており、日付および曜日を示すデータを制御ユニット２６に供給する。また、データ取得部２４は、日の出時刻や、日の入り時刻、太陽光パネル１２の機種（効率）などのデータを記憶するメモリを備えており、それらのデータを制御ユニット２６に供給する。また、データ取得部２４は、温度および湿度を検知するセンサを備えており、温度および湿度を示すデータを制御ユニット２６に供給する。
【００２７】
通信部２５は、制御ユニット２６の制御に従って、有線または無線による通信を行う。例えば、通信部２５は、ネットワーク１８を介してサーバ（図示せず）と通信を行い、蓄電システム１１が設置されている地域における天気予報を取得する。また、通信部２５は、操作端末１４と通信を行って、操作端末１４に表示情報を供給して情報を表示させたり、操作端末１４に対するユーザによる操作に応じた操作情報を取得したりする。
【００２８】
制御ユニット２６は、例えば、CPU（Central Processing Unit）、メモリ、および入出力インタフェースを備えて構成され、CPUがメモリに記憶されているプログラムを実行することで、入出力インタフェースを介して蓄電装置１５の各部を制御する。
【００２９】
例えば、制御ユニット２６は、現在の時点から翌日の一日に亘って太陽光パネル１２により発電されることが予測される予測発電電力、現在の時点から翌日の一日に亘って負荷１７により消費されることが予測される予測消費電力、および、現在の時点で蓄電池２２に蓄電されている蓄積電力に基づいて、翌日、売電を行う可能性が高いか否かを予測する。そして、制御ユニット２６は、翌日、売電を行う可能性が高いことが予測されると、通信部２５を介して、操作端末１４の表示部に対して、負荷１７による電力の消費を促すメッセージを表示させる。
【００３０】
これに応じて、負荷１７により電力が消費されると、蓄電池２２に蓄電されている蓄積電力が低下するため、翌日、蓄電池２２に電力を蓄積可能な容量が増加し、太陽光パネル１２により発電された電力を蓄電池２２に蓄積することができる。従って、翌日、売電を行う可能性を低下させ、売電を回避することができるようになる。
【００３１】
ここで、図２乃至４を参照して、制御ユニット２６による予測に基づいた電力調整処理について説明する。図２乃至４において、左側の縦軸は電力量を示し、右側の縦軸は電力を示し、横軸は翌日の一日に亘る時刻（０時から２４時まで）を示している。
【００３２】
図２には、ある一日において、蓄電池２２に蓄積されることが予測される予測蓄電電力量、負荷１７が消費することが予測される予測消費電力、太陽光パネル１２が発電することが予測される予測発電電力、および、電力系統１６に逆潮流されて売電されることが予測される予測売電電力が示されている。
【００３３】
図２に示すように、例えば、予測消費電力は、朝の時間帯および夜の時間帯において増加し、予測発電電力は、昼の時間帯において増加する。従って、予測蓄電電力量は、朝の時間帯に減少するが、その後は予測発電電力に応じて増加する。そして、予測蓄電電力量は、蓄電池２２に電力を蓄積可能な定格容量（図２の例では、10.0kWh）に到達すると、予測消費電力が予測発電電力よりも大きくなるまで、蓄電池２２の定格容量で一定の値となる。従って、予測蓄電電力量が蓄電池２２の定格容量である期間において予測発電電力が発生し、太陽光パネル１２により発電された電力が負荷１７で消費されなくなる。
【００３４】
つまり、図３において斜線のハッチングが施されている領域に対応する電力は、蓄電池２２に蓄積されずに、予測売電電力で示されるように売電される。そこで、蓄電池２２に蓄積されない電力量のピーク値に対応する電力を、負荷１７により事前に消費することで、太陽光パネル１２により発電された電力が売電されることを回避することができると想定される。
【００３５】
例えば、蓄電池２２に蓄積されない電力量のピーク値に対応する電力を負荷１７により事前に消費すると、図４に示すように、予測蓄電電力量を示す曲線が下方にオフセットされる。その結果、オフセットされた予測蓄電電力量は、蓄電池２２の定格容量を超過することが回避され、予測売電電力が発生しないと予測される。
【００３６】
このように、蓄電システム１１では、太陽光パネル１２で発電された電力を負荷１７で消費することができなくなると予測されるときに、前もって、負荷１７による電力の消費を促すように電力を調整する電力調整処理が行われる。これにより、蓄電システム１１では、太陽光パネル１２で発電した電力を売電したり捨てたりすることが回避され、より効率良く電力を使用することができる。
【００３７】
そして、蓄電システム１１では、制御ユニット２６のメモリに、このような電力調整処理を行うためのプログラムが記憶されており、制御ユニット２６のCPUがプログラムを実行することにより、電力調整装置としての機能が実現される。
【００３８】
次に、図５は、制御ユニット２６が電力調整装置としての機能するときの機能ブロック図が示されている。
【００３９】
図５に示すように、電力調整装置３１は、運転処理部３２、表示制御部３３、設定記憶部３４、予測処理部３５を備えて構成される。
【００４０】
運転処理部３２は、蓄電池２２に対する電力の充電および放電など、通常、蓄電装置１５により行われる運転処理を実行する。また、運転処理部３２が実行する運転処理において、所定のタイミングごとに定期的に（例えば、１時間ごとに）、予測処理部３５において売電可能性予測処理を行うように設定されており、運転処理部３２は、売電可能性予測処理を行うタイミングになると、予測処理部３５に対して売電可能性予測処理を行うように通知する。
【００４１】
表示制御部３３は、予測処理部３５による売電可能性予測処理の結果、電力を売電する可能性が高いと予測された場合、通信部２５を介して、操作端末１４の表示部に電力の消費を促すメッセージを表示させる制御を行う。このとき、表示制御部３３は、消費することが推奨される電力量や、その電力量を消費するために負荷１７として使用する機器および条件などを表示させる制御を行う。
【００４２】
設定記憶部３４には、負荷１７として使用する機器ごとの消費電力が登録された設定テーブル（例えば、図８参照）が記憶されている。
【００４３】
予測処理部３５は、供給予測部４１、需要予測部４２、余剰電力算出部４３、蓄電残量取得部４４、ギャップ算出部４５、および判定部４６を備えて構成される。
【００４４】
供給予測部４１は、データ取得部２４から取得される日付や、日の出時刻、日の入り時刻、太陽光パネル１２の機種、温度などの各種のデータ、および、通信部２５がネットワーク１８を介してサーバから取得される天気予報に基づいて、現在の時点から翌日の一日に亘る所定の時刻ごとに、太陽光パネル１２により発電されることが予測される予測発電電力を求める。例えば、太陽光パネル１２の発電効率は温度に依存する特性があり、供給予測部４１は、温度のデータに従って、太陽光パネル１２の発電効率を調整して発電電力を予測する。
【００４５】
需要予測部４２は、データ取得部２４から取得される日付や、曜日、日の出時刻、日の入り時刻、温度、湿度などのデータ、および、通信部２５がネットワーク１８を介してサーバから取得される天気予報に基づいて、現在の時点から翌日の一日に亘る所定の時刻ごとに、負荷１７により消費されることが予測される予測消費電力を求める。
【００４６】
例えば、休日と平日とで負荷１７が使用されるパターンが異なるものとなるため、需要予測部４２は、曜日のデータに従って、負荷１７により消費されることが予測される電力を調整する。また、季節によってエアコンディショナの使用条件（設定温度や送風量など）が異なるものとなるため、需要予測部４２は、日付のデータに従って、負荷１７により消費されることが予測される電力を調整する。さらに、同一の季節であっても、温度および湿度によってエアコンディショナの使用条件が異なるものとなるため、需要予測部４２は、温度および湿度のデータに従って、負荷１７により消費されることが予測される電力を調整する。
【００４７】
余剰電力算出部４３は、供給予測部４１により求められた時刻ごとの予測発電電力と、需要予測部４２により求められた時刻ごとの予測消費電力との差分を求めることにより、太陽光パネル１２により発電される電力のうちの、負荷１７によって消費されないことが予測される電力である余剰電力を、現在の時点から翌日の一日に亘る所定の時刻ごとに算出する。
【００４８】
蓄電残量取得部４４は、バッテリマネジメントシステム２３と通信を行って、現在の時点で蓄電池２２に残されている電力量である蓄電残量を取得して、ギャップ算出部４５に供給する。
【００４９】
ギャップ算出部４５は、余剰電力算出部４３により算出された余剰電力、および、蓄電残量取得部４４から供給される現在の時点での蓄電残量から、その余剰電力が蓄電池２２に蓄積されたときの電力量として予測される予測蓄電電力量を、現在の時点から翌日の一日に亘る所定の時刻ごとに求める。例えば、ギャップ算出部４５は、余剰電力を蓄電残量に加算することにより予測蓄電電力量を算出するが、この際、ギャップ算出部４５は、各部における変換効率による変動を考慮して予測蓄電電力量を算出する。そして、ギャップ算出部４５は、求めた予測蓄電電力量の最大値から、蓄電池２２の定格容量を減算することにより求められるギャップ量を算出する。
【００５０】
例えば、ギャップ算出部４５が算出したギャップ量がプラスの値である場合、つまり、予測蓄電電力量の最大値が蓄電池２２の定格容量を超過している場合、図２および図３を参照して説明したように、その超過する電力が売電されると予測される。
【００５１】
判定部４６は、ギャップ算出部４５により算出されたギャップ電力量がプラスの値である場合、即ち、予測蓄電電力量の最大値が蓄電池２２の定格容量を超過する場合、翌日において売電が発生する可能性が高いと判定する。一方、判定部４６は、ギャップ算出部４５により算出されたギャップ電力量がマイナスの値である場合、即ち、予測蓄電電力量の最大値が蓄電池２２の定格容量を超過しない場合、翌日において売電が発生する可能性が低いと判定する。
【００５２】
そして、判定部４６は、この判定結果を、売電可能性予測処理の結果として表示制御部３３に通知する。また、判定部４６は、翌日において売電が発生する可能性が高いと判定した場合には、ギャップ量が最大となる電力量（以下、適宜、ピーク値と称する）を表示制御部３３に通知する。
【００５３】
このように電力調整装置３１は構成されており、予測処理部３５が、翌日において売電が発生する可能性が高いと予測した場合、表示制御部３３が、電力の消費を促すメッセージを表示させることによって、ユーザは負荷１７を使用して電力を消費させることができる。
【００５４】
次に、図６は、電力調整装置３１が実行する電力調整処理を説明するフローチャートである。
【００５５】
例えば、蓄電装置１５が起動するとともに処理が開始され、ステップＳ１１において、運転処理部３２は、蓄電池２２に対する電力の充電および放電など、通常、蓄電装置１５により行われる運転処理を実行し、蓄電システム１１を通常運転する。
【００５６】
ステップＳ１２において、運転処理部３２は、売電の可能性を予測する売電可能性予測処理を行うか否かを判定する。運転処理部３２が実行する運転処理では、所定のタイミングごとに定期的に売電可能性予測処理を行うように設定されており、運転処理部３２は、売電可能性予測処理を行うタイミングになるまで、蓄電システム１１を通常運転（ステップＳ１１）する。そして、ステップＳ１２において、運転処理部３２が売電の可能性を予測する売電可能性予測処理を行うと判定すると処理はステップＳ１３に進む。
【００５７】
ステップＳ１３において、運転処理部３２は、予測処理部３５に対して売電可能性予測処理を行うように通知し、予測処理部３５は、図７を参照して後述する売電可能性予測処理を実行する。
【００５８】
ステップＳ１４において、表示制御部３３は、予測処理部３５による売電可能性予測処理の結果、電力を売電する可能性が高いか低いかを判定する。
【００５９】
ステップＳ１４において、予測処理部３５による売電可能性予測処理の結果、電力を売電する可能性が高いと判定された場合、処理はステップＳ１５に進み、表示制御部３３は、通信部２５を介して、操作端末１４の表示部に電力消費を促すメッセージ（図９参照）を表示させる制御を行う。ステップＳ１５の処理後、処理はステップＳ１１に戻り、以下、同様の処理が繰り返される。
【００６０】
一方、ステップＳ１４において、予測処理部３５による売電可能性予測処理の結果、電力を売電する可能性が低いと判定された場合、処理はステップＳ１６に進む。
【００６１】
ステップＳ１６において、表示制御部３３は、操作端末１４の表示部に電力消費を促すメッセージが表示されているか否かを判定する。
【００６２】
ステップＳ１６において、表示制御部３３が、操作端末１４の表示部に電力消費を促すメッセージが表示されていないと判定した場合、処理はステップＳ１１に戻り、以下、同様の処理が繰り返される。即ち、この場合、売電の可能性が低いので、操作端末１４の表示部に電力消費を促すメッセージが表示されていない状態が維持される。
【００６３】
一方、ステップＳ１６において、表示制御部３３が、操作端末１４の表示部に電力消費を促すメッセージが表示されていると判定した場合、処理はステップＳ１７に進む。
【００６４】
ステップＳ１７において、表示制御部３３は、電力消費を促すメッセージを非表示にして、処理はステップＳ１１に戻り、以下、同様の処理が繰り返される。即ち、この場合、電力消費を促すメッセージに従って、負荷１７による電力が消費された結果により売電の可能性が低くなったため、電力消費を促すメッセージが非表示にされる。
【００６５】
次に、図７は、図６のステップＳ１３における売電可能性予測処理を説明するフローチャートである。
【００６６】
ステップＳ２１において、供給予測部４１は、太陽光パネル１２から供給される供給電力を予測する。即ち、供給予測部４１は、データ取得部２４から取得される各種のデータ、および、通信部２５から取得される天気予報に基づいて、現在の時点から翌日の一日に亘る所定の時刻ごとに、太陽光パネル１２により発電されることが予測される予測発電電力を求める。
【００６７】
ステップＳ２２において、需要予測部４２は、負荷１７による需要がある需要電力を予測する。即ち、需要予測部４２は、データ取得部２４から取得される各種のデータ、および、通信部２５から取得される天気予報に基づいて、現在の時点から翌日の一日に亘る所定の時刻ごとに、負荷１７により消費されることが予測される予測消費電力を求める。
【００６８】
ステップＳ２３において、余剰電力算出部４３は、ステップＳ２１で供給予測部４１により求められた予測発電電力と、ステップＳ２２で需要予測部４２により求められた予測消費電力との差分により表される余剰電力を、現在の時点から翌日の一日に亘る所定の時刻ごとに算出する。
【００６９】
ステップＳ２４において、蓄電残量取得部４４は、バッテリマネジメントシステム２３と通信を行って、現在の時点における蓄電池２２の蓄電残量を取得する。
【００７０】
ステップＳ２５において、ギャップ算出部４５は、ステップＳ２３で算出された余剰電力をステップＳ２４で取得された蓄電残量に加算した予測蓄電電力量を、現在の時点から翌日の一日に亘る所定の時刻ごとに求める。そして、ギャップ算出部４５は、計算により求められた予測蓄電電力量の最大値から、蓄電池２２の定格容量を減算することにより求められるギャップ量を算出する。
【００７１】
ステップＳ２６において、判定部４６は、ステップＳ２５でギャップ算出部４５により求められた予測蓄電電力量が、蓄電池２２の定格容量を超過するか否かを判定する。即ち、判定部４６は、ギャップ量がプラスの値である場合には、予測蓄電電力量が蓄電池２２の定格容量を超過すると判定し、ギャップ量がマイナスの値である場合には、予測蓄電電力量が蓄電池２２の定格容量を超過しないと判定する。
【００７２】
ステップＳ２６において、予測蓄電電力量が蓄電池２２の定格容量を超過すると判定された場合、処理はステップＳ２７に進み、判定部４６は、売電可能性予測処理の結果として、翌日において売電が発生する可能性が高い旨を表示制御部３３に通知する。また、このとき、判定部４６は、ステップＳ２５においてギャップ算出部４５により算出されたギャップ量を表示制御部３３に通知する。
【００７３】
一方、ステップＳ２６において、予測蓄電電力量が蓄電池２２の定格容量を超過しないと判定された場合、処理はステップＳ２８に進み、判定部４６は、売電可能性予測処理の結果として、翌日において売電が発生する可能性が低い旨を表示制御部３３に通知する。そして、ステップＳ２７およびＳ２８の処理後、売電可能性予測処理は終了する。
【００７４】
以上のように、電力調整装置３１では、売電可能性予測処理により翌日において売電が発生する可能性が高いと予測された場合には、電力の消費を促すことができるため、太陽光パネル１２で発電された電力が売電されることを回避することができる。これにより、電力系統を介して電力を伝送する際に発生する電力損失を抑制することができ、より効率良く電力を使用することができる。また、売電可能性予測処理を定期的に行うことにより、蓄電残量の変化や天候の変化などに柔軟に対応して売電を回避することができる。
【００７５】
また、負荷１７により電力を前もって使用することで、例えば、電力系統１６を介して電力を購入する機会を削減することができ、コストダウンを図ることができる。さらに、電力を贅沢に使用したいユーザを、こまめな節電により感じるストレスから解放することができる。つまり、ユーザは、電力を消費することが促されることによって、罪悪感を覚えることなく、積極的に電力を消費することができる。
【００７６】
また、このように電力の消費を促す処理は、いわゆるピークカットおよびピークシフトとは異なる処理である。つまり、ピークカットは、電力需要のピークにあたる時間帯の電力消費を低く抑制し、ピークの時間帯に、蓄電池２２から放電を行うことやユーザが節電を行うものである。また、ピークシフトは、負荷１７による電力消費を夜間などの比較的に電力需要が少ない時間帯に移動し、電力需要の少ない時間帯に電力系統１６から蓄電池２２に充電を行って、ピークの時間帯に蓄電池２２から放電を行うものである。
【００７７】
従って、ピークカットおよびピークシフトでは、翌日に売電が発生する可能性がある。これに対し、電力調整装置３１は、翌日、蓄電池２２が定格容量まで充電されてしまい売電が発生することを回避するために電力の消費を促して電力を調整するものであり、ピークカットおよびピークシフトとは異なる処理を実行している。
【００７８】
なお、例えば、表示制御部３３は、図７のステップＳ２４で蓄電残量取得部４４が取得した蓄電池２２の蓄電残量が、所定の閾値以下であった場合には、電力消費を促すメッセージの表示を中止することができる。即ち、蓄電池２２の蓄電残量が所定の閾値以下のように少ないときに停電が発生した場合、蓄電システム１１から電力を供給することができなくなると想定される。従って、停電が発生しても一定期間だけ電力を供給することができる程度の閾値を設定しておき、その閾値以下である場合には、電力の消費を促すことを行わないように処理が行われる。これにより、蓄電システム１１は、停電が発生しても一定期間、電力を供給することができる。
【００７９】
また、例えば、蓄電池２２が定格容量まで充電されているときに停電が発生すると、蓄電池２２に充電することができず、太陽光パネル１２からの出力は、ＰＶ用パワーコンディショナ１３の自立出力端子からのみ行われる。このような場合、ユーザは、太陽光パネル１２で発電された電力を消費するためには、自立出力端子に負荷１７を接続しなければならず手間が掛かっていた。これにより、太陽光パネル１２で発電された電力を捨ててしまうことがあった。これに対し、蓄電システム１１では、蓄電池２２に蓄積されている電力を事前に使用しているため、太陽光パネル１２で発電された電力を蓄電池２２に充電することができる。従って、上述のような手間が発生することなく、太陽光パネル１２で発電された電力を捨てることを回避することができる。
【００８０】
また、電力調整装置３１において、表示制御部３３は、電力の消費を促すメッセージとともに、設定記憶部３４に記憶される設定テーブルを参照して、電力を消費するために使用する機器および条件を求めて提示することができる。
【００８１】
図８には、図５の設定記憶部３４に記憶される設定テーブルの一例が示されている。
【００８２】
図８に示すように、設定テーブルには、負荷１７として用いられる機器、および、それぞれの機器を使用する条件と、その条件で機器を使用したときの消費電力とが対応付けられて登録されている。また、設定テーブルに登録される機器は、２つのグループに分類される。例えば、グループＡには、１回の動作で電力量が決定される機器が登録され、グループＢには、稼働時間によって電力量が決定される機器が登録される。
【００８３】
例えば、グループＡに分類される機器として、炊飯器および洗濯機が例示されている。そして、炊飯器により３合の炊飯を行う設定に従った機器および条件『炊飯器（３合）』、炊飯器により５合の炊飯を行う設定に従った機器および条件『炊飯器（５合）』、および、洗濯機により１ｋｇの選択を行う設定に従った機器および条件『洗濯機（１ｋｇ）』が登録されている。さらに、それぞれの機器および条件に対応付けて、消費電力『○ｋＷｈ』が登録されている。
【００８４】
また、グループＢに分類される機器として、エアコンディショナおよびテレビジョン受像機が例示されている。そして、エアコンディショナにより設定温度２０℃かつ強風で温度調整を行う設定に従った機器および条件『エアコンディショナ（２０℃、強風）』、エアコンディショナにより設定温度２５℃かつ弱風で温度調整を行う設定に従った機器および条件『エアコンディショナ（２５℃、弱風）』、および、テレビジョン受像機により番組を出力する設定に従った機器および条件『テレビジョン受像機』が登録されている。さらに、それぞれの機器および設定に対応付けて、消費電力『○ｋＷ』が登録されている。
【００８５】
このような設定テーブルが設定記憶部３４に記憶されており、表示制御部３３は、ギャップ算出部４５により算出されたギャップ量のピーク値に対応する電力を消費するための適切な機器および条件の組み合わせを、グループＡとグループＢとで区別して求める。そして、表示制御部３３は、電力の消費を促すメッセージとともに、適切な機器および条件の組み合わせを操作端末１４の表示部に表示させる。
【００８６】
例えば、図９に示すように、操作端末１４の表示部には、電力の消費を促すメッセージ『クリーンな自然エネルギーで／トータルで下記を動作できます』とともに、ギャップ量のピーク値に対応する電力を消費するための適切な機器および条件『炊飯器３合  １回／エアコン２３℃強風  ２時間／テレビ  ５時間』が表示される。
【００８７】
このように、表示制御部３３は、ギャップ算出部４５により算出されたギャップ量のピーク値に対応する電力に対して、使用する機器および条件を提示して、電力の消費を促すことができる。
【００８８】
なお、設定記憶部３４に記憶される設定テーブルには、予め各項目が入力されている。または、通信機能を備えた機器が負荷１７として用いられるときには、通信部２５が、ネットワーク１８を介して通信を行うことにより、その機器を認識し、条件や消費電力などの情報を取得して設定記憶部３４の設定テーブルに登録することができる。
【００８９】
また、蓄電システム１１では、操作端末１４の表示部に表示された機器および条件を、ユーザが操作端末１４を操作することにより変更することができる。
【００９０】
例えば、図１０に示すように、表示制御部３３が、設定記憶部３４に記憶される設定テーブルを参照して、ギャップ量のピーク値に対応する電力を消費するための適切な機器および条件『グループＡ／炊飯器３合  １回／洗濯機  １ｋｇ  １回／グループＢ／エアコン  ２３℃  ５時間／テレビ  ５時間』を操作端末１４の表示部に表示して、電力の消費を促したとする。これに対し、ユーザが、テレビジョン受像機よりもエアコンディショナの使用を優先させたい場合には、エアコンディショナの使用時間を延長するように操作を行う。
【００９１】
このようなユーザの操作に従って、表示制御部３３は、エアコンディショナの使用時間を延長させるのに連動させて、テレビジョン受像機の使用時間を短縮させて、ギャップ量のピーク値に対応する電力を消費するための適切な機器および条件を新たに求める。これに応じて、表示制御部３３は、操作端末１４の表示部の表示を『グループＡ／炊飯器  ３合  １回／洗濯機  １ｋｇ  １回／グループＢ／エアコン  ２３℃  ７時間／テレビ  ０時間』と変更する。
【００９２】
このように、ユーザが優先的に使用したい機器を決めて、操作端末１４の表示部に表示されている一部の数値を増加させると、他の一部の数値が減少し、操作端末１４の表示部に表示されている一部の数値を減少させると、他の一部の数値が増加する。
【００９３】
このように、蓄電システム１１では、ギャップ量のピーク値に対応する電力の消費する際に、ユーザのニーズに応じた機器の使用を優先させることができる。
【００９４】
また、設定記憶部３４に記憶される設定テーブルは、時間帯に応じて作成することができる。
【００９５】
例えば、図１１に示すように、朝の時間帯、昼の時間帯、および夜の時間帯ごとに設定テーブルを作成し、表示制御部３３は、ギャップ量のピーク値に応じた電力を消費させる時間帯に従って設定テーブルを参照して処理を行う。また、設定テーブルには、ユーザによる入力に従って、機器の優先度を設定することができ、消費電力は一般値で入力される。
【００９６】
図１１の例では、夜の時間帯の設定テーブルには、優先度の高い順に、優先度『１』に機器『エアコンディショナ』が登録され、優先度『２』に機器『食器洗い機』が登録され、優先度『３』に機器『炊飯器』が登録され、優先度『４』に機器『掃除機』が登録されている。また、それぞれの機器ごとの条件および消費電力が登録されている。
【００９７】
そして、生活時間帯ごとに、ユーザが優先的に使用したい機器が異なることが想定され、朝の時間帯、昼の時間帯、および夜の時間帯の設定テーブルごとに、機器の組み合わせの優先度が異なるように設定される。
【００９８】
このように、蓄電システム１１では、ギャップ量のピーク値に応じた電力を消費する時間帯に応じて、ユーザのニーズに応じた機器を使用して、電力を消費することができる。また、例えば、優先度の高い機器が接続される配線にリレーを配設して、翌日において売電が発生する可能性が高いと判定された場合には、そのリレーをオンにすることで、自動的に電力が使用されるようにしてもよい。
【００９９】
なお、本実施の形態においては、太陽光パネル１２により発電された電力を蓄積する構成について説明したが、太陽光パネル１２以外に自然エネルギーを利用して発電を行う発電部、例えば、風力発電やバイオマス発電などにより発電された電力を蓄積する構成を採用してもよい。また、蓄電池２２に電力を蓄積する他、例えば、電力を熱エネルギーに変換して蓄積（例えば、お湯を蓄積）したり、電力を水素に変換して蓄積したりしてもよい。
【０１００】
また、予測処理部３５が売電可能性予測処理を行うことによって予測する予測期間は、翌日の一日に限定されるものではなく、例えば、現在の時刻から２４時間が経過するまでの期間など、任意の予測期間を用いることができる。なお、設定記憶部３４に設定テーブルを記憶させずに、例えば、ネットワーク１８を介して接続されるサーバに設定テーブルを記憶させてもよい。さらに、ネットワーク１８を介して、電力調整処理が行われるようにすることができる。
【０１０１】
さらに、本実施の形態では、蓄電池２２の定格容量を基準として充電を行う処理について説明したが、実際に蓄電池２２を使用する際の安全性を考慮して蓄電池２２に対する充電が行われる。例えば、蓄電池２２に対する充電を許容する最大の容量として、定格容量に対する所定の割合（例えば、９０％）を定めておき、その定められた容量（設定容量）を基準として蓄電池２２の充電を行う処理を実行することができる。
【０１０２】
なお、上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１０３】
また、それらのプログラムは、あらかじめ記憶部に記憶させておく他、ネットワークインタフェースなどよりなる通信部を介して、あるいは、磁気ディスク（フレキシブルディスクを含む）、光ディスク（CD-ROM(Compact Disc-Read Only Memory),DVD(Digital Versatile Disc)等）、光磁気ディスク、または半導体メモリなどのリムーバブルメディアを駆動するドライブを介して、コンピュータにインストールすることができる。
【０１０４】
また、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。なお、本明細書において、システムとは、複数の装置により構成される装置全体を表すものである。
【０１０５】
なお、本実施の形態は、上述した実施の形態に限定されるものではなく、本開示の要旨を逸脱しない範囲において種々の変更が可能である。
【符号の説明】
【０１０６】
１１  蓄電システム，  １２  太陽光パネル，  １３  ＰＶ用パワーコンディショナ，  １４  操作端末，  １５  蓄電装置，  １６  電力系統，  １７  負荷，  １８  ネットワーク，  ２１  蓄電池用双方向AC/DC変換器，  ２２  蓄電池，  ２３  バッテリマネジメントシステム，  ２４  データ取得部，  ２５  通信部，  ２６  制御ユニット，  ２７および２８  リレー，  ３１  電力調整装置，  ３２  運転処理部，  ３３  表示制御部，  ３４  設定記憶部，  ３５  予測処理部，  ４１  供給予測部，  ４２  需要予測部，  ４３  余剰電力算出部，  ４４  蓄電残量取得部，  ４５  ギャップ算出部，  ４６  判定部
【図１】
2013192351.tif 000003
【図２】
2013192351.tif 000004
【図３】
2013192351.tif 000005
【図４】
2013192351.tif 000006
【図５】
2013192351.tif 000007
【図６】
2013192351.tif 000008
【図７】
2013192351.tif 000009
【図８】
2013192351.tif 000010
【図９】
2013192351.tif 000011
【図１０】
2013192351.tif 000012
【図１１】
2013192351.tif 000013